(57)【要約】【課題】  ディスク再生装置の動作を指令する操作キーにその動作に関連する複数の動作を指令する機能を割り当てて操作キーを多機能化することにより操作キーの数を少なくしてリモコン装置の操作性を向上させることができるようにする。【解決手段】  光ディスクに記録されている映像音声データの再生中に、再生中の映像音声データのＣＭの再生を所定時間スキップするＣＭスキップキーが押されたとき、ＣＭスキップキーが所定時間以上長押しされたか否かを判別して、その判別結果に基づいて光ディスクに記録されている映像音声データを再生するようにする。【選択図】        図３
2007104447.tif 000002
【特許請求の範囲】
【請求項１】
光ディスクに記録された映像音声データを再生するディスク再生装置であって、
再生中の映像音声データのＣＭの再生を所定時間早送り再生するＣＭスキップキーと、映像音声データの再生中に、前記ＣＭスキップキーが押されたとき、前記ＣＭスキップキーが所定時間以上長押しされたか否かを判別する第１の判別手段と、前記第１の判別手段により前記ＣＭスキップキーが所定時間以上長押しされたと判別された場合、光ディスクに記録されているタイトル毎の先頭の映像音声データを第１の所定短時間ずつ再生し、前記第１の判別手段により前記ＣＭスキップキーが所定時間以上長押しされていないと判別された場合、光ディスクに記録されている映像音声データを第２の所定短時間早送り再生する第１の再生手段と、光ディスクに記録されているタイトル毎の先頭の映像音声データの再生が終了した場合に、前記ＣＭスキップキーが所定時間以上長押しされた場合、映像音声データの再生中に前記ＣＭスキップキーが所定時間以上長押しされた時点に戻って、光ディスクに記録された映像音声データを通常再生する第２の再生手段とを備えたことを特徴とするディスク再生装置。
【請求項２】
光ディスクに記録された映像音声データを再生するディスク再生装置であって、
再生中の映像音声データのＣＭの再生を所定時間早送り再生するＣＭスキップキーと、光ディスクに記録されている映像音声データの再生中に、前記ＣＭスキップキーが押されたとき、前記ＣＭスキップキーが所定時間以上長押しされたか否かを判別する第１の判別手段と、前記第１の判別手段の判別結果に基づいて光ディスクに記録されている映像音声データを所定短時間再生する第１の再生手段とを備えたことを特徴とするディスク再生装置。
【請求項３】
前記第１の再生手段は、前記第１の判別手段により前記ＣＭスキップキーが所定時間以上長押しされたと判別された場合、光ディスクに記録されているタイトル毎の先頭の映像音声データを第１の所定短時間ずつ再生する再生手段であることを特徴とする請求項２記載のディスク再生装置。
【請求項４】
前記第１の再生手段は、前記第１の判別手段により前記ＣＭスキップキーが所定時間以上長押しされていないと判別された場合、光ディスクに記録されている映像音声データを第２の所定短時間早送り再生する再生手段であることを特徴とする請求項２記載のディスク再生装置。
【請求項５】
光ディスクに記録されているタイトル毎の先頭の映像音声データの再生が終了した場合に、前記ＣＭスキップキーが所定時間以上長押しされた場合、映像音声データの再生中に前記ＣＭスキップキーが所定時間以上長押しされた時点に戻って、光ディスクに記録された映像音声データを通常再生する第２の再生手段を更に備えたことを特徴とする請求項２記載のディスク再生装置。
【請求項６】
光ディスクに記録された映像音声データを再生するディスク再生装置の再生方法であって、
光ディスクに記録されている映像音声データを再生するステップと、映像音声データの再生中に、再生中の映像音声データのＣＭの再生を所定時間早送り再生するＣＭスキップキーが押されたときに、前記ＣＭスキップキーが所定時間以上長押しされた場合、光ディスクに記録されているタイトル毎の先頭の映像音声データを第１の所定短時間ずつ再生するステップと、光ディスクに記録されているタイトル毎の先頭の映像音声データの再生が終了した場合に、前記ＣＭスキップキーが所定時間以上長押しされた場合、映像音声データの再生中に前記ＣＭスキップキーが所定時間以上長押しされた時点に戻って、光ディスクに記録された映像音声データを通常再生するステップと、映像音声データの再生中に、前記ＣＭスキップキーが押されたときに、前記ＣＭスキップキーが所定時間以上長押しされていない場合、光ディスクに記録されている映像音声データを第２の所定短時間早送り再生するステップとを備えたことを特徴とするディスク再生装置の再生方法。
【発明の詳細な説明】
【技術分野】
【０００１】
本発明は、光ディスクに記録された映像音声データを再生するディスク再生装置及びその再生方法に係り、特に操作キーを多機能化することにより操作キーの数を少なくしてリモコン装置の操作性を向上させることができるディスク再生装置及びその再生方法に関する。
【背景技術】
【０００２】
近年、ＤＶＤ（Ｄｉｇｉｔａｌ  Ｖｅｒｓａｔｉｌｅ  Ｄｉｓｃ）等の光ディスクに記録された映像音声データを再生するディスク再生装置の動作が多機能化され、それに伴ってディスク再生装置の動作を指令する操作キーの数が増加し、多数の操作キーがリモコン装置等に設けられている。小型化されたリモコン装置等においては、多数の操作キーをリモコン装置の操作部に配置するために、操作キーが小型化され、互いに隣接する操作キーの間隔が狭くなっている。そのため、ユーザがリモコン装置等に設けられた多数の小型化された操作キーの中からディスク再生装置を所望動作させる操作キーを見つけ出して、隣接する操作キーを誤って操作することなく、目的の操作キーを操作しなければならず、リモコン装置の操作が不便であるという問題点があった。また、操作キーにより指令された動作後に、その動作に関連した次の動作を指令するために、次の動作を指令する操作キーをリモコン装置等に設けられた多数の操作キーの中から見つけ出して、その操作キーを操作しなければならないという問題点があった。
背景技術としては、データストリームの再生中のスキップ操作が第１回目のスキップ操作であるか、第２回目以降のスキップ操作であるかを判定し、第１回目のスキップ操作である場合、第１の時間間隔でスキップ動作を行い、第２回目以降のスキップ操作である場合、第１の時間間隔とは異なる第２の時間間隔でスキップ動作を行い、スキップ操作が所定時間持続して操作された場合、再生中のデータストリームを所定時間遡るようにしたものがあった（例えば、特許文献１参照）。
また、記録媒体からのＣＭ（Ｃｏｍｍｅｒｃｉａｌ  Ｍｅｓｓａｇｅ）再生禁止操作が行われたとき、ＣＭ同士の境界の第１境界を含んで予め設定された再生時間、または、そのＣＭに後続する番組との境界の第２境界を含んで予め設定された再生時間のいずれか一方に対応するＣＭ又は番組のいずれか一方を検出し、再生禁止操作実行後に番組検出再生操作が行われたとき、検出又は再生を停止して検出再生操作に対する番組を検出再生するようにしたものがあった（例えば、特許文献２参照）。
【特許文献１】特開２００４−３６３８０８号公報
【特許文献２】特開２００３−３０９８１３号公報
【発明の開示】
【発明が解決しようとする課題】
【０００３】
しかしながら、背景技術で述べたもののうち前者においては、データストリームの再生中のスキップ操作が第１回目のスキップ操作であるか、第２回目以降のスキップ操作であるかを判定し、第１回目のスキップ操作である場合、第１の時間間隔でスキップ動作を行い、第２回目以降のスキップ操作である場合、第１の時間間隔とは異なる第２の時間間隔でスキップ動作を行い、スキップ操作が所定時間持続して操作された場合、再生中のデータストリームを所定時間遡ることができたが、スキップ操作が行われた場合に、そのスキップ操作に応じてユーザが所望する時点へジャンプするようにしたものであって、上記問題点を解決するようにしたものではなかった。
また、後者においては、記録媒体からのＣＭ再生禁止操作が行われたとき、ＣＭ同士の境界の第１境界を含んで予め設定された再生時間、または、そのＣＭに後続する番組との境界の第２境界を含んで予め設定された再生時間のいずれか一方に対応するＣＭ又は番組のいずれか一方を検出し、再生禁止操作実行後に番組検出再生操作が行われたとき、検出又は再生を停止して検出再生操作に対する番組を検出再生することができたが、ＣＭと番組との切り替りを見つけやすくして、ＣＭの再生をスキップするようにしたものであって、上記問題点を解決するようにしたものではなかった。
本発明は、背景技術の有するこのような問題点に鑑みてなされたものであり、その目的とするところは、ディスク再生装置の動作を指令する操作キーにその動作に関連する複数の動作を指令する機能を割り当てて操作キーを多機能化することにより操作キーの数を少なくしてリモコン装置の操作性を向上させることができるディスク再生装置を提供しようとするものである。
【課題を解決するための手段】
【０００４】
上記目的を達成するため本発明においては、光ディスクに記録された映像音声データを再生するディスク再生装置であって、再生中の映像音声データのＣＭの再生を所定時間早送り再生するＣＭスキップキーと、光ディスクに記録されている映像音声データの再生中に、前記ＣＭスキップキーが押されたとき、前記ＣＭスキップキーが所定時間以上長押しされたか否かを判別する第１の判別手段と、前記第１の判別手段の判別結果に基づいて光ディスクに記録されている映像音声データを所定短時間再生する第１の再生手段とを備える。
前記第１の再生手段は、前記第１の判別手段により前記ＣＭスキップキーが所定時間以上長押しされたと判別された場合、光ディスクに記録されているタイトル毎の先頭の映像音声データを第１の所定短時間ずつ再生するようにするとよい。
また、前記第１の再生手段は、前記第１の判別手段により前記ＣＭスキップキーが所定時間以上長押しされていないと判別された場合、光ディスクに記録されている映像音声データを第２の所定短時間早送り再生するようにするとよい。
更に、光ディスクに記録されているタイトル毎の先頭の映像音声データの再生が終了した場合に、前記ＣＭスキップキーが所定時間以上長押しされた場合、映像音声データの再生中に前記ＣＭスキップキーが所定時間以上長押しされた時点に戻って、光ディスクに記録された映像音声データを通常再生する第２の再生手段を備える。
これらの手段により、ディスク再生装置の動作を指令する操作キーにその動作に関連する複数の動作を指令する機能を割り当てて操作キーを多機能化することにより操作キーの数を少なくしてリモコン装置の操作性を向上させることができる。
【発明の効果】
【０００５】
請求項１記載の発明に係るディスク再生装置によれば、映像音声データの再生中に、再生中の映像音声データのＣＭの再生を所定時間早送り再生するＣＭスキップキーが押されたとき、ＣＭスキップキーが所定時間以上長押しされたか否かを判別して、ＣＭスキップキーが所定時間以上長押しされたと判別された場合、光ディスクに記録されているタイトル毎の先頭の映像音声データを第１の所定短時間ずつ再生し、ＣＭスキップキーが所定時間以上長押しされていない場合、光ディスクに記録されている映像音声データを第２の所定短時間早送り再生し、光ディスクに記録されているタイトル毎の先頭の映像音声データの再生が終了した場合に、ＣＭスキップキーが所定時間以上長押しされた場合、映像音声データの再生中にＣＭスキップキーが所定時間以上長押しされた時点に戻って、光ディスクに記録された映像音声データを通常再生するようにしているので、ディスク再生装置の動作を指令する操作キーにその動作に関連する複数の動作を指令する機能を割り当てて操作キーを多機能化することができ、ＣＭスキップキーを所定時間以上長押しすることにより光ディスクに記録されているタイトル毎の先頭の映像音声データを所定短時間ずつ再生させることができ、また、ＣＭスキップキーを所定時間以上長押しせずに操作することにより光ディスクに記録されている映像音声データを所定短時間早送り再生させることができる。
請求項２記載の発明に係るディスク再生装置によれば、光ディスクに記録されている映像音声データの再生中に、再生中の映像音声データのＣＭの再生を所定時間早送り再生するＣＭスキップキーが押されたとき、ＣＭスキップキーが所定時間以上長押しされたか否かを判別して、その判別結果に基づいて光ディスクに記録されている映像音声データを所定短時間再生するようにしているので、ディスク再生装置の動作を指令する１つの操作キーを操作する操作方法を変えることにより、１つの操作キーの操作によりディスク再生装置の複数の動作を指令することができ、ディスク再生装置の動作を指令する操作キーを多機能化することができる。
請求項３記載の発明に係るディスク再生装置によれば、光ディスクに記録されている映像音声データの再生中に、再生中の映像音声データのＣＭの再生を所定時間早送り再生するＣＭスキップキーが所定時間以上長押しされた場合、光ディスクに記録されているタイトル毎の先頭の映像音声データを第１の所定短時間ずつ再生するようにしているので、ＣＭスキップキーを所定時間以上長押しすることにより光ディスクに記録されているタイトル毎の先頭の映像音声データを所定短時間ずつ再生させることができ、光ディスクに記録されているタイトル毎の先頭の映像音声データを確認することができる。
請求項４記載の発明に係るディスク再生装置によれば、光ディスクに記録されている映像音声データの再生中に、再生中の映像音声データのＣＭの再生を所定時間早送り再生するＣＭスキップキーが所定時間以上長押しされていない場合、光ディスクに記録されている映像音声データを第２の所定短時間早送り再生するようにしているので、ＣＭスキップキーを所定時間以上長押しせずに操作することにより光ディスクに記録されているＣＭ等の映像音声データを所定短時間早送り再生させることができる。
請求項５記載の発明に係るディスク再生装置によれば、光ディスクに記録されているタイトル毎の先頭の映像音声データの再生が終了した場合に、再生中の映像音声データのＣＭの再生を所定時間早送り再生するＣＭスキップキーが所定時間以上長押しされた場合、光ディスクに記録されている映像音声データの再生中にＣＭスキップキーが所定時間以上長押しされた時点に戻って、光ディスクに記録された映像音声データを通常再生するようにしているので、光ディスクに記録されたタイトル毎の先頭の映像音声データの再生後に、同じＣＭスキップキーを再度操作することにより光ディスクに記録されている映像音声データの再生中にＣＭスキップキーが所定時間以上長押しされた時点に戻って、光ディスクに記録された映像音声データを通常再生することができる。
請求項６記載の発明に係るディスク再生装置の再生方法によれば、光ディスクに記録されている映像音声データを再生し、映像音声データの再生中に、再生中の映像音声データのＣＭの再生を所定時間早送り再生するＣＭスキップキーが押されたときに、ＣＭスキップキーが所定時間以上長押しされた場合、光ディスクに記録されているタイトル毎の先頭の映像音声データを第１の所定短時間ずつ再生し、光ディスクに記録されているタイトル毎の先頭の映像音声データの再生が終了した場合に、ＣＭスキップキーが所定時間以上長押しされた場合、映像音声データの再生中にＣＭスキップキーが所定時間以上長押しされた時点に戻って、光ディスクに記録された映像音声データを通常再生し、映像音声データの再生中に、ＣＭスキップキーが押されたときに、ＣＭスキップキーが所定時間以上長押しされていない場合、光ディスクに記録されている映像音声データを第２の所定短時間早送り再生するようにしているので、ディスク再生装置の動作を指令する操作キーにその動作に関連する複数の動作を指令する機能を割り当てて操作キーを多機能化することができ、ＣＭスキップキーを所定時間以上長押しすることにより光ディスクに記録されているタイトル毎の先頭の映像音声データを所定短時間ずつ再生させることができ、また、ＣＭスキップキーを所定時間以上長押しせずに操作することにより光ディスクに記録されている映像音声データを所定短時間早送り再生させることができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置の動作を示すフローチャートである。
まず、図１の本発明の一実施例のディスク再生装置の構成を示すブロック図を基に説明する。
ディスク再生装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声信号を再生する信号処理回路８と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路９と、ディスク再生装置１のシステム全体を制御するマイコン１０と、リモコン装置２０から送信された赤外線信号のリモコン信号を受信して、所定の電気信号に変換するリモコン受信部１１とで構成されている。
また、リモコン装置２０には、図２に示すように、光ディスク２に記録されている映像音声データの再生を指令する再生キー２０ａ、再生中の映像音声データのＣＭを所定時間早送り再生する早送り再生を指令するＣＭスキップキー２０ｂ等の複数の操作キーが設けられていて、ディスク再生装置１を所望動作させることができるようになっている。
以上のように構成されたディスク再生装置について、以下その動作について説明する。
リモコン装置２０の再生キー２０ａの操作により光ディスク２の再生が指令されると、マイコン１０は、サーボ回路６に制御信号を送出して、スピンドルモータ４を駆動して光ディスク２を回転させ、スレッドモータ５を駆動して光ピックアップ３を光ディスク２の半径方向にスレッド移動させ、光ピックアップ３のトラッキングとフォーカスとをサーボ制御して、光ピックアップ３により光ディスク２に記録されている映像音声データを再生する。
光ディスク２記録されている映像音声データの再生中に、リモコン装置２０のＣＭスキップキー２０ｂが押された場合、マイコン１０は、リモコン装置２０のＣＭスキップキー２０ｂが所定時間以上、例えば、３秒以上長押しされたか否かを判別する。リモコン装置２０のＣＭスキップキー２０ｂが所定時間以上長押しされた場合、マイコン１０は、光ディスク２に記録されているタイトル毎の先頭の映像音声データを第１の所定短時間、例えば、１０秒間ずつ再生する。
そして、光ディスク２に記録されているタイトル毎の先頭の映像音声データの再生が終了した場合に、リモコン装置２０のＣＭスキップキー２０ｂが所定時間以上、例えば、３秒以上長押しされた場合、マイコン１０は、リモコン装置２０のＣＭスキップキー２０ｂが所定時間以上長押しされた時点に戻って、光ディスク２に記録された映像音声データを通常再生する。
また、リモコン装置２０のＣＭスキップキー２０ｂが押された場合に、リモコン装置２０のＣＭスキップキー２０ｂが所定時間以上長押しされていない場合、マイコン１０は、光ディスク２に記録されている映像音声データを第２の所定短時間、例えば、３０秒間早送り再生する。
これにより、映像音声データの再生中に、リモコン装置２０のＣＭスキップキー２０ｂを操作することにより、再生中の映像音声データのＣＭ等の再生を所定短時間早送り再生することができる。また、映像音声データの再生中に、リモコン装置２０のＣＭスキップキー２０ｂを所定時間以上長押しすることにより、光ディスク２に記録されているタイトル毎の先頭の映像音声データを所定短時間ずつ再生することができ、光ディスク２に記録されているタイトル毎の先頭の映像音声データの再生が終了した場合に、リモコン装置２０のＣＭスキップキー２０ｂを所定時間以上長押しすることにより、リモコン装置２０のＣＭスキップキー２０ｂが光ディスク２に記録された映像音声データの再生中にＣＭスキップキー２０ｂが所定時間以上長押しされた時点に戻って、光ディスク２に記録された映像音声データを通常再生することができる。
また、図３の本発明の一実施例のディスク再生装置の動作を示すフローチャートを基に説明する。
リモコン装置の再生キーの操作により光ディスクの再生が指令されると、ステップＳ１からステップＳ２に進み、ステップＳ２で、光ディスクに記録されている映像音声データが再生され、ステップＳ３に進む。
ステップＳ３で、再生中の映像音声データのＣＭの再生を所定時間早送り再生するリモコン装置のＣＭスキップキーが押されたか否かが判断され、リモコン装置のＣＭスキップキーが押された場合、ステップＳ４に進み、リモコン装置のＣＭスキップキーが押されていない場合、ステップＳ１０に進む。
ステップＳ４で、リモコン装置のＣＭスキップキーが所定時間以上長押しされたか否かが判断され、リモコン装置のＣＭスキップキーが所定時間以上長押しされた場合、ステップＳ５に進み、リモコン装置のＣＭスキップキーが所定時間以上長押しされていない場合、ステップＳ９に進む。
ステップＳ５で、光ディスクに記録されているタイトル毎の先頭の映像音声データが第１の所定短時間ずつ再生され、ステップＳ６に進む。
ステップＳ６で、光ディスクに記録されているタイトル毎の先頭の映像音声データの再生が終了したか否かが判断され、光ディスクに記録されているタイトル毎の先頭の映像音声データの再生が終了した場合、ステップＳ７に進み、光ディスクに記録されているタイトル毎の先頭の映像音声データの再生が終了していない場合、ステップＳ５に戻って、ステップＳ５からのステップを繰り返す。
ステップＳ７で、リモコン装置のＣＭスキップキーが所定時間以上長押しされたか否かが判断され、リモコン装置のＣＭスキップキーが所定時間以上長押しされた場合、ステップＳ８に進み、リモコン装置のＣＭスキップキーが所定時間以上長押しされていない場合、ステップＳ１０に進む。
ステップＳ８で、リモコン装置のＣＭスキップキーが所定時間以上長押しされた時点に戻って、光ディスクに記録された映像音声データが通常再生され、ステップＳ１０に進む。
ステップＳ９で、光ディスクに記録されている映像音声データが第２の所定短時間早送り再生され、ステップＳ１０に進む。
ステップＳ１０で、光ディスクの再生が終了したか否かが判断され、光ディスクの再生が終了した場合、ステップＳ１１に進んで処理を終了し、光ディスクの再生が終了していない場合、ステップＳ２に戻って、ステップＳ２からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置の動作を示すフローチャートである。
【符号の説明】
【０００８】
１  ディスク再生装置
２  光ディスク
３  光ピックアップ
４  スピンドルモータ
５  スレッドモータ
６  サーボ回路
７  ＲＦ増幅回路
８  信号処理回路
９  ＯＳＤ回路
１０  マイコン
１１  リモコン受信部
２０  リモコン装置
２０ａ  再生キー
２０ｂ  ＣＭスキップキー
３０  モニタ装置
【図１】
2007104447.tif 000003
【図２】
2007104447.tif 000004
【図３】
2007104447.tif 000005